【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
複数のサブスタックを備える電気化学電池スタックに配列された複数の電気化学電池、
前記複数のサブスタックの第一のサブスタックに接続された第一の電気制御装置、及び
前記複数のサブスタックの第二のサブスタックに接続された第二の電気制御装置
を備えることを特徴とする、電気化学電池システム。
【請求項２】
前記複数のサブスタックの一から別の一へと流体が直列に流れるように、前記複数のサブスタックのうちの前記サブスタックが構成されていることを特徴とする、請求項１に記載のシステム。
【請求項３】
前記第一の電気制御装置は、前記第二の電気制御装置とは独立して制御可能であり、第一及び第二のサブスタックを選択的に電気的に構成することを特徴とする、請求項１または２に記載のシステム。
【請求項４】
前記第一のサブスタックは、前記第一の電気制御装置により、直列または並列に負荷または電源に対して選択的に再構成可能であり、且つ、前記第二のサブスタックは、前記第二の電気制御装置により、直列または並列に前記負荷または電源に対して選択的に再構成可能であることを特徴とする、請求項１乃至３のいずれか一項に記載のシステム。
【請求項５】
前記第一の電気制御装置は、前記第一のサブスタックを負荷または電源に選択的に接続または切断するように構成され、且つ、前記第二の電気制御装置は、前記第二のサブスタックを前記負荷または電源に選択的に接続または切断するように構成されることを特徴とする、請求項１乃至４のいずれか一項に記載のシステム。
【請求項６】
前記第一及び第二の電気制御装置は、前記第一及び第二のサブスタックを選択的に電気的に直列または並列に接続するように構成されることを特徴とする、請求項１乃至５のいずれか一項に記載のシステム。
【請求項７】
前記複数の電気化学電池の前記電気化学電池は、燃料電池、電解槽電池、ポリマー交換膜電池、及び固体酸化物燃料電池から成るグループから選択されることを特徴とする、請求項１乃至６のいずれか一項に記載のシステム。
【請求項８】
前記複数の電気化学電池のうちの前記電気化学電池は、燃料電池モード及び電解槽モードの両方で作動するように構成されることを特徴とする、請求項１乃至７のいずれか一項に記載のシステム。
【請求項９】
前記第一の電気制御装置は、第一の電気スイッチを備え、前記第二の電気制御装置は、第二の電気スイッチを備えることを特徴とする、請求項１乃至８のいずれか一項に記載のシステム。
【請求項１０】
複数のサブスタック内に配列される複数の電気化学電池を備える第二の電気化学電池スタックをさらに備え、前記第二の電気化学電池スタックのサブスタックからサブスタックへと流体が直列に流れることを特徴とする、請求項１乃至９のいずれか一項に記載のシステム。
【請求項１１】
前記電気化学電池スタック及び前記第二の電気化学電池スタックの両方を介する流体フローは、単一のフロー制御ポイントで制御されることを特徴とする、請求項１０に記載のシステム。
【請求項１２】
前記第一のサブスタックは、前記第二の電気化学電池スタックの第一のサブスタックに電気的に接続され、且つ、前記第二のサブスタックは前記第二の電気化学電池スタックの第二のサブスタックに電気的に接続されることを特徴とする、請求項１０に記載のシステム。
【請求項１３】
直列構造、並列構造、及び切断された構造のうちの少なくとも一において、前記第一及び第二の電気制御装置は、前記電気化学電池スタック及び前記第二の電気化学電池スタックの前記第一及び第二のサブスタックを選択的に電気的に構成することを特徴とする、請求項１２に記載のシステム。
【手続補正２】
【補正対象書類名】明細書
【補正対象項目名】００４９
【補正方法】変更
【補正の内容】
【００４９】
開示されるモジュール化された電気化学電池システムの様々な態様が示され説明されたが、本明細書を読めば当業者は多数の変更例を思いつくかもしれない。本発明はそのような変更例も含んでおり、請求の範囲によってのみ限定されるものではない。
また、本願は以下に記載する態様を含む。
（態様１）
複数のサブスタックを備える電気化学電池スタックに配列された複数の電気化学電池、
前記複数のサブスタックの第一のサブスタックに接続された第一の電気制御装置、及び
前記複数のサブスタックの第二のサブスタックに接続された第二の電気制御装置
を備えることを特徴とする、電気化学電池システム。
（態様２）
前記複数のサブスタックの一から別の一へと流体が直列に流れるように、前記複数のサブスタックのうちの前記サブスタックが構成されていることを特徴とする、態様１に記載のシステム。
（態様３）
前記第一の電気制御装置は、前記第二の電気制御装置とは独立して制御可能であり、第一及び第二のサブスタックを選択的に電気的に構成することを特徴とする、態様１または２に記載のシステム。
（態様４）
前記第一のサブスタックは、前記第一の電気制御装置により、直列または並列に負荷または電源に対して選択的に再構成可能であり、且つ、前記第二のサブスタックは、前記第二の電気制御装置により、直列または並列に前記負荷または電源に対して選択的に再構成可能であることを特徴とする、態様１乃至３のいずれか一項に記載のシステム。
（態様５）
前記第一の電気制御装置は、前記第一のサブスタックを負荷または電源に選択的に接続または切断するように構成され、且つ、前記第二の電気制御装置は、前記第二のサブスタックを前記負荷または電源に選択的に接続または切断するように構成されることを特徴とする、態様１乃至４のいずれか一項に記載のシステム。
（態様６）
前記第一及び第二の電気制御装置は、前記第一及び第二のサブスタックを選択的に電気的に直列または並列に接続するように構成されることを特徴とする、態様１乃至５のいずれか一項に記載のシステム。
（態様７）
前記複数の電気化学電池の前記電気化学電池は、燃料電池、電解槽電池、ポリマー交換膜電池、及び固体酸化物燃料電池から成るグループから選択されることを特徴とする、態様１乃至６のいずれか一項に記載のシステム。
（態様８）
前記複数の電気化学電池のうちの前記電気化学電池は、燃料電池モード及び電解槽モードの両方で作動するように構成されることを特徴とする、態様１乃至７のいずれか一項に記載のシステム。
（態様９）
前記第一の電気制御装置は、第一の電気スイッチを備え、前記第二の電気制御装置は、第二の電気スイッチを備えることを特徴とする、態様１乃至８のいずれか一項に記載のシステム。
（態様１０）
複数のサブスタック内に配列される複数の電気化学電池を備える第二の電気化学電池スタックをさらに備え、前記第二の電気化学電池スタックのサブスタックからサブスタックへと流体が直列に流れることを特徴とする、態様１乃至９のいずれか一項に記載のシステム。
（態様１１）
前記電気化学電池スタック及び前記第二の電気化学電池スタックの両方を介する流体フローは、単一のフロー制御ポイントで制御されることを特徴とする、態様１０に記載のシステム。
（態様１２）
前記第一のサブスタックは、前記第二の電気化学電池スタックの第一のサブスタックに電気的に接続され、且つ、前記第二のサブスタックは前記第二の電気化学電池スタックの第二のサブスタックに電気的に接続されることを特徴とする、態様１０に記載のシステム。
（態様１３）
直列構造、並列構造、及び切断された構造のうちの少なくとも一において、前記第一及び第二の電気制御装置は、前記電気化学電池スタック及び前記第二の電気化学電池スタックの前記第一及び第二のサブスタックを選択的に電気的に構成することを特徴とする、態様１２に記載のシステム。
（態様１４）
電気化学電池スタックを組み立てるための方法であって、
複数の電気化学電池を提供するステップ、
流体がサブスタックからサブスタックへ直列に流れるように構成された複数のサブスタックを備えるスタックに、前記複数の電気化学電池の前記電気化学電池を配列するステップ、
前記複数のサブスタックの第一のサブスタックを第一の電気制御装置に接続するステップ、及び
前記複数のサブスタックの第二のサブスタックを第二の電気制御装置に接続するステップを含む方法。
（態様１５）
前記第一及び第二の電気制御装置は、直列構造、並列構造、及び開回路構造のうちの少なくとも一に、前記第一及び第二のサブスタックを選択的に構成することを特徴とする、態様１４に記載の方法。
【手続補正３】
【補正対象書類名】明細書
【補正対象項目名】発明の名称
【補正方法】変更
【補正の内容】
【発明の名称】モジュール化された電気化学電池システム